(57)【要約】      （修正有）【課題】耐震強度確保ししかも容易に組立て可能が電子機器収納筐体を提供する。【解決手段】底板２と、天板１２と、これら底板２と天板１２とに跨る側板３，３と、前記側板３，３に取り付けられる扉４とを有し内部に電子機器ユニット１０を収納する電子機器収納筐体１において、少なくとも底部２の各コーナーの一において、前記扉４を支える下部ヒンジ５と前記側板３とが筐体コーナー部剛性強化結合金具６を介してネジ締めされ、少なくとも底部２の各コーナーの全てにおいて前記側板３と前記底板２とが前記筐体コーナー部剛性強化結合金具６を介してネジ締めされている。【選択図】図１
0003181762.tif 000002
【実用新案登録請求の範囲】
【請求項１】
底板と、天板と、これら底板と天板とに跨る側板と、前記側板に取り付けられる扉とを有し内部に電子機器ユニットを収納する電子機器収納筐体において、少なくとも底部の各コーナーの一において、前記扉を支える下部ヒンジと前記側板とが筐体コーナー部剛性強化結合金具を介してネジ締めされ、少なくとも底部の各コーナーの全てにおいて前記側板と前記底板とが前記筐体コーナー部剛性強化結合金具を介してネジ締めされていることを特徴とする電子機器収納筐体。
【請求項２】
請求項１に記載の電子機器収納筐体において、前記天板の各コーナーにおいて、前記側板と前記天板とが筐体コーナー部剛性強化結合金具を介してネジ締めされていることを特徴とする電子機器収納筐体。
【請求項３】
請求項１または請求項２に記載の電子機器収納筐体において、前記底板、前記側板、および前記天板の夫々の前後方向中間部で、少なくとも前記底板および前記側板に跨ってネジ締めにより結合され前記電子機器が取り付けられるユニット取付フレーム枠を備えていることを特徴とする電子機器収納筐体。
【請求項４】
請求項１〜請求項３の何れか一に記載の電子機器収納筐体において、前記側板にネジ止めされ、前記電子機器収納筐体の前後及びねじれ方向に対する耐震補強を行う側板強化金具を備えていることを特徴とする電子機器収納筐体。
【考案の詳細な説明】
【技術分野】
【０００１】
この考案は電子機器が搭載された電子機器ユニット１０を内部に収納して搭載するための制御盤、配電盤などの電子機器収納筐体に関するものである。
【背景技術】
【０００２】
電子機器収納筐体は、例えば図７に示すような構造であり、アングル材等により形成された台座２１と、この台座２１上に支持された矩形の底板２２と、底板２２から上方にのびた２枚の平行な側板２３と、底板２２および側板２３に接続された背板２４と、前面開口２５を開閉可能に閉じる扉２６とを備えており、全体としては、金属板を折曲板金加工して溶接により組み立てた直方体状の筐体である。
底板２２、側板２３、背板２４および扉２６はそれぞれ略矩形の金属板からなるパネルにより構成されている。
筐体内部には、側板２３の内面に一般にプレチャンと呼ばれる固定金具２７が溶接により取り付けられており、プレチャン２７にはユニット取付金具２８が取り付けられている。  ユニット取付金具２８には、回路基板等の各種電子機器が搭載された電子機器ユニット２９を筐体の前面開口２５から挿入してねじ３０によりねじ止めしてある。扉２６は蝶番３１により側板２３に可動に取付られており、開閉自在である。
【０００３】
このような図７に示すような電子機器筐体に於いては、図８に示す如く、底板２２のパネル３２は、その辺に折曲板金加工により金属板を折り曲げて形成した、パネル３２の剛性を高めるための補強構造３３および３４を備えている。第１の補強構造３３は、パネル本体から辺に沿って直角に折り曲げられた立ち上がり部分３５と、この立ち上がり部分３５からパネル本体に沿って平行に内側に折り曲げられた内向き折曲部３６とを備えたものであり、第２の補強構造３４は、パネル本体から辺に沿って直角に折り曲げられた立ち上がり部分３７と、この立ち上がり部分３７からパネル本体に沿って平行に外側に折り曲げられた外向き折曲部３８とを備えている。
側板２３のパネル３９は、同様に、パネル本体の辺に沿って設けられてパネル３２の剛性を高めるための補強構造４１を備え、補強構造４１はパネル本体の辺に沿って直角に折り曲げられた立ち上がり部分４２と、この立ち上がり部分４２からパネル本体に沿って平行に内側に折り曲げられた内向き折曲部４３とを備えている。
【０００４】
一例として図８に示す如き底板２２と側板２３との組み立てについて説明すれば、底板２２の立ち上がり部分３７の外表面と側板２３の内向き折曲部４３の外表面とを重ね合わせ、底板２２の外向き折曲部３８の根元部分を側板２３の内向き折曲部４３の縁に組み合わせて接合させ、図９に示す位置に配置する。この配置のまま、図９に溶接部分４４で示す位置を溶接し、底板２２と側板２３とを組み立てる。その他のパネルも略同様の補強構造を持ち同様に溶接により組み立てられる。
【先行技術文献】
【特許文献】
【０００５】
【特許文献１】特開平８−３１７５１４号公報
【考案の概要】
【考案が解決しようとする課題】
【０００６】
前述の従来の電子機器収納筐体のような溶接による組み立ては、筐体の剛性強度、信頼性等において有利でこれまで広く採用されていたが、溶接作業に熟練技術者が必要であるため、作業の進行が制限されることがあり、また、溶接痕や溶接熱による歪みが発生するために、パテ塗りやパテ研ぎをしてこれを取り除いたり修正したりする必要があり、塗装済みの金属板を用いる場合には塗装をし直さねばならなかった。
東日本大震災をはじめとする近年の地震の多発により、さまざまな分野における構造の耐震性の再評価が必要となっている。また溶接をはじめとする特殊技能者の確保が難しくなってきている状況では、ネジ接合等の比較的容易に技能習得・管理できる技法で十分な耐震性を備えた電子機器収納筐体を製造する必要がある。
【０００７】
この考案は、前述のような実情に鑑みてなされたもので、耐震強度確保ししかも容易に組立て可能が電子機器収納筐体を提供することを目的とするものである。
【課題を解決するための手段】
【０００８】
この考案に係る電子機器収納筐体は、底板と、天板と、これら底板と天板とに跨る側板と、前記側板に取り付けられる扉とを有し内部に電子機器ユニットを収納する電子機器収納筐体において、少なくとも底部の各コーナーの一において、前記扉を支える下部ヒンジと前記側板とが筐体コーナー部剛性強化結合金具を介してネジ締めされ、少なくとも底部の各コーナーの全てにおいて前記側板と前記底板とが前記筐体コーナー部剛性強化結合金具を介してネジ締めされているものである。
【考案の効果】
【０００９】
この考案は、底板と、天板と、これら底板と天板とに跨る側板と、前記側板に取り付けられる扉とを有し内部に電子機器ユニットを収納する電子機器収納筐体において、少なくとも底部の各コーナーの一において、前記扉を支える下部ヒンジと前記側板とが筐体コーナー部剛性強化結合金具を介してネジ締めされ、少なくとも底部の各コーナーの全てにおいて前記側板と前記底板とが前記筐体コーナー部剛性強化結合金具を介してネジ締めされているので、耐震強度確保ししかも容易に組立て可能が電子機器収納筐体を提供することができる効果がある。
【図面の簡単な説明】
【００１０】
【図１】この考案の実施の形態１を示す図で、電子機器収納筐体の一例を示す斜視図である。
【図２】この考案の実施の形態１を示す図で、筐体コーナー部剛性強化結合金具の一例およびその周辺の分解図を斜視図で示す図である。
【図３】この考案の実施の形態１を示す図で、左右一体化ユニット取付フレーム枠の一例を示す斜視図である。
【図４】この考案の実施の形態１を示す図で、側板強化金具の一例を示す斜視図である。
【図５】この考案の実施の形態１を示す図で、図１における電子機器収納筐体の本体部分を分解して示す斜視図である。
【図６】この考案の実施の形態１を示す図で、図１における電子機器収納筐体の本体部分の組立て完了状態を示す斜視図である。
【図７】従来の電子機器収納筐体の斜視図である。
【図８】従来の電子機器収納筐体の底板・側板単体の構造を示す図である。
【図９】従来の電子機器収納筐体の底板・側板を溶接接合した構造を示す図である。
【考案を実施するための形態】
【００１１】
実施の形態１．
以下この考案の実施の形態１を図１〜図６により説明する。
実施の形態１は、概略的には図１に示すような構造であり、全体の構成はこれまでの溶接接合筐体と同様に、電子機器収納筐体１において、矩形の底板２と底板２から上方に伸びた側板３と、それらと枠体１１を構成するための天板１２と、これらの枠体１１の前後開口部１３を開閉可能とする、扉４とで主に構成されている。
【００１２】
上記構成を従来の結合方法である溶接接合から、ネジ接合に変更し耐震性を確保する場合は、同様の部材構成で耐震性を確保するためにネジ結合本数が非常に多くなり製作効率を著しく低下させる。
【００１３】
筐体コーナー部剛性強化結合金具６を、図２（１）〜（３）に示すような組合せで取付が可能となる底板２、側板３との間に配置することにより、耐震性に大きく影響する底隅部の剛性を著しく向上させる。電子機器収納筐体１の上下（底部および天井部）の各コーナー部ABSC，BBSC，CBSC，DBSC，ARSC，BRSC，CRSC，DRSCの各々に、筐体コーナー部剛性強化結合金具６を、図２（１）〜（３）に示すような組合せで取付が可能となる底板２、側板３との間に配置すれば更に剛性を向上させることができる。
【００１４】
以下、各コーナー部ABSC，BBSC，CBSC，DBSC，ARSC，BRSC，CRSC，DRSCを代表して、コーナー部ABSCについて、図２によって詳述する。
底板２は、相互に直角をなす垂直の一連の締め付け面２ａｃ，２ｂを有し、締め付け面２ａｃには締め付けネジ用貫通孔２ａｃｃ，２ａｃｄ，２ａｃｅが所定間隔に設けられている。
【００１５】
側板３は、相互に直角をなす垂直の一連の締め付け面３ａ，３ｂを有し、相互に直角をなす一連の締め付け面３ｃ，３ｄも有している。締め付け面３ｃは垂直をなし、締め付け面３ｄは水平を成している。
締め付け面３ａには、締め付けネジ用貫通孔３ａｃ，３ａｄが所定間隔に設けられている。
締め付け面３ｂには、締め付けネジ用貫通孔３ｂａ，３ｂｂが所定間隔に設けられている。
締め付け面３ｃには、締め付けネジ用貫通孔３ｃｅが設けられている。
【００１６】
筐体コーナー部剛性強化結合金具６は、相互に直角をなす垂直の一連の締め付け面６ａ，６ｂと、これら締め付け面６ａ，６ｂと直角をなす水平な締め付け面６ｃとを有している。また、各締め付け面６ａ，６ｂ，６ｃは一連をなしている。
締め付け面６ａには、締め付けネジ用貫通孔６ｂａ，６ｂｂが所定間隔に設けられている。
締め付け面６ｂには、締め付けネジ用貫通孔６ａｃ，３ｂｂ，６ａｄが所定間隔に設けられている。
【００１７】
底板２と側板３と下部ヒンジ５とは、共通の筐体コーナー部剛性強化結合金具６を使ってネジ締めすることにより、一体に結合される。この結合の手順は、図２（１）の状態から、図２（２）の状態を経て、図２（３）の状態とし、図２（３）の状態でネジ締めすることにより、底板２と側板３と下部ヒンジ５とは共通の筐体コーナー部剛性強化結合金具６を介して一体に結合される。
【００１８】
図２（１）の状態では、底板２、側板３、下部ヒンジ５、共通の筐体コーナー部剛性強化結合金具６は、何れも組み付け前の状態である。
【００１９】
図２（２）の状態では、側板３に対して、筐体コーナー部剛性強化結合金具６を所定の位置に配してある。この状態では、締め付けネジ用貫通孔３ｂａ，６ｂａが重合し、締め付けネジ用貫通孔３ｂｂ，６ｂｂが重合し、締め付けネジ用貫通孔６ａｃ，３ａｃが重合し、締め付けネジ用貫通孔６ａｄ，３ａｄが重合し、締め付けネジ用貫通孔６ａｅ，３ｃｅが重合している。
【００２０】
図２（３）の状態では、側板３に対して、筐体コーナー部剛性強化結合金具６、底板２、および下部ヒンジ５が全て所定の位置に配してある。この状態では、締め付けネジ用貫通孔５ａ，３ｂａ，６ｂａが重合し、締め付けネジ用貫通孔５ｂ，３ｂｂ，６ｂｂが重合し、締め付けネジ用貫通孔２ａｃｃ，６ａｃ，３ａｃが重合し、締め付けネジ用貫通孔２ａｃｄ，６ａｄ，３ａｄが重合し、締め付けネジ用貫通孔２ａｃｅ，６ａｅ，３ｃｅが重合している。
重合した締め付けネジ用貫通孔５ａ，３ｂａ，６ｂａに共通のネジ（ボルトを含む）を通して、側板３と筐体コーナー部剛性強化結合金具６と下部ヒンジ５とを締め付けて、側板３と筐体コーナー部剛性強化結合金具６と下部ヒンジ５とを一体的に結合する。
同様に、重合している締め付けネジ用貫通孔５ｂ，３ｂｂ，６ｂｂ、重合している締め付けネジ用貫通孔２ａｃｃ，６ａｃ，３ａｃ、重合している締め付けネジ用貫通孔２ａｃｄ，６ａｄ，３ａｄ、重合している締め付けネジ用貫通孔２ａｃｅ，６ａｅ，３ｃｅの各々についても個別に共通のネジ（ボルトを含む）を通して締め付け、側板３と筐体コーナー部剛性強化結合金具６と下部ヒンジ５と底板２とを一体的に結合する。
【００２１】
側板３の製作上、締め付け面３ａは締め付け面３ｂからの折り曲げであり、締め付け面３ｃは締め付け面３ｄからの折り曲げであり、また加工性・重量などを考慮して側板の板厚も十分にとることが困難であることから、筐体コーナー部剛性強化結合金具６によって、底板２と側板３とのネジ締め付けによる接合時に、筐体コーナー部剛性強化結合金具６の締め付け面６ａ，６ｂ，６ｃにより等価的板厚を増してネジ締め付けによる接合に対する強度を上げる効果と、側板３の締め付け面３ａ，３ｃを筐体コーナー部剛性強化結合金具６の締め付け面６ａをもってネジ締め付け接合を可能とする効果も発揮する。
また筐体コーナー部剛性強化結合金具６が締め付け面６ｂ、締め付け面６ｃを有することにより、側板３の締め付け面３ａ，３ｃおよび筐体コーナー部剛性強化結合金具６が締め付け面６ａの強度を向上させることができる。
【００２２】
上記と合わせて、図１に示す扉４の下部ヒンジ５を側板３を介して筐体コーナー部剛性強化結合金具６にネジ締め付け接合することにより、扉４の重量を支えるのに十分な強度を有することが可能となり、また図７に示す従来のような側板２３に蝶番３１を点在させて側板２３の上部や中間部に扉２６による重量の負担をかけず、主に筐体下部に重量を受ける構造とすることでさらに耐震性の強化を図ることができる。
【００２３】
なお、他のコーナー部BBSC，CBSC，DBSC，ARSC，BRSC，CRSC，DRSCについては、前述のコーナー部ABSCの場合と同一あるは同等であるので、構造、組立て手順の詳述は割愛する。
【００２４】
図７に示す従来の筐体で使用していた左右それぞれで独立したユニット取付フレームに変わり、図１および図６に示す左右が一体化された左右一体化ユニット取付フレーム枠７を適用し、対象筐体の耐震性能の向上を図る。
【００２５】
これは筐体本体の枠体１１が底板２、側板３、天板１２の各部品から構成されていることから、側板２のみで構成される筐体の前後方向に比べて、筐体の左右方向については枠体１１としての強度が不足する傾向にある。これは溶接接合時でも見られる傾向であるがネジ接合にすることにより顕著に現れる。
これを補強するために前後方向の側板と同様の効果をもたらすことを目的として左右一体化ユニット取付フレーム枠７を適用する。
【００２６】
図１に示す左右一体化ユニット取付フレーム枠７は図３のような構造をしており側板３や扉４と同様の構造であり、図３に示す広い平面部７ａに電子機器ユニットを挿入するための抜き孔７ｂ及び電子機器ユニットを取付けるための締め付けネジ用貫通孔７ｃを有する。抜き孔７ｂについては電子機器ユニットまたは電気機器を取り付けるためのパネル等により補強されるため、左右一体化ユニット取付フレーム枠７は十分な強度を有する。
【００２７】
図１に示す左右一体化ユニット取付フレーム枠７の取付は、底板２または側板下部とネジ接合するための締め付けネジ用貫通孔７ｄ、及び天板または側板上部とネジ接合するための締め付けネジ用貫通孔７ｅの各２点またはそれ以上の接合に加えて、後に説明する図４に示す複数の側板強化金具８とネジ接合する締め付けネジ用貫通孔７ｆにより行う。また図１に示すように、取付ける電子機器ユニットの影響等により、締め付けネジ用貫通孔7ｄは直接、底板２または側板３下部とネジ接合できない場合は、アダプタ金具１４を使用して取り付けることも可能とする。
かくして、左右一体化ユニット取付フレーム枠７は、底板２、左右側板３，３、および天板の夫々の前後方向中間部で、底板２、左右側板３，３、および天板に跨って、ネジ締めにより結合されるので、左右一体化ユニット取付フレーム枠７は、電子機器ユニットの取り付け機能と筐体の剛性強化機能とを併せ持つことになる。
【００２８】
筐体内部には従来の筐体では一般にプレチャン２７と呼ばれる断面がＣ型に類似した固定金具を使用していたが、請求項４に示す側板強化金具８を適用する。
従来のプレチャン２７は図７に示すように側板２３の平面部に溶接されていたため、溶接部のたわみを抑制する効果があったが、側板の両端面まで接合されていなかったために側板全体のねじれへの抑制効果は限定的であった。
【００２９】
図４に示す側板強化金具８は図２に表記している側板の締め付け面3ａ（左右とも）に接合されており、ねじれの抑制効果を発揮する。これは側板強化金具８の構造が上下の折り曲げ部面８ａ、面8ｂ、および中央の段曲げ部8ｃの効果により、Ｘ方向の変形抑制効果があること、また上下方向および前後方向に適度な所定距離がある上下方向の２点（締め付けネジ用貫通孔8d，8e間および締め付けネジ用貫通孔8f，8g間の２点）、前後方向の２点（締め付けネジ用貫通孔8d，8f間および締め付けネジ用貫通孔8e，8g間の２点）で固定しているため、側板３の締め付け面３ａ（左右とも）の高さ方向の変形自由度を抑制することにより、筐体全体の耐震性(主にねじれ変形)の強化を図ることが可能となる。
【００３０】
これらを総合的に構成することにより、従来特殊技能である溶接接合でなければ実現できなかった耐震性を確保したままで、比較的容易に組立できるネジ接合筐体を実現する。
なお、電子機器収納筐体１の本体部分の組み立ては、図５に例示のように必要な部品を準備後、各部品をネジ締めによって図６に例示のように組み上げる。
【００３１】
前述のことから明白なように、本実施の形態１は次のような技術的な特徴を有している。
特徴１：底板と、天板と、これら底板と天板とに跨る側板と、前記側板に取り付けられる扉とを有し内部に電子機器ユニットを収納する電子機器収納筐体において、少なくとも底部の各コーナーの一において、前記扉を支える下部ヒンジと前記側板とが筐体コーナー部剛性強化結合金具を介してネジ締めされ、少なくとも底部２の各コーナーの全てにおいて前記側板と前記底板とが前記筐体コーナー部剛性強化結合金具を介してネジ締めされている。
特徴２：特徴１の電子機器収納筐体において、前記天板の各コーナーにおいて、前記側板と前記底板とが前記筐体コーナー部剛性強化結合金具を介してネジ締めされている。
特徴３：特徴１または特徴２の電子機器収納筐体において、前記底板、前記側板、および前記天板の夫々の前後方向中間部で、少なくとも前記底板および前記側板に跨ってネジ締めにより結合され前記電子機器が取り付けられるユニット取付フレーム枠を備えている。
特徴４：特徴１〜特徴３の何れか一の電子機器収納筐体において、前記側板にネジ止めされ、前記電子機器収納筐体の前後及びねじれ方向に対する耐震補強を行う側板強化金具を備えている。
特徴５：図１に示す、電子機器収納筐体1を構成するパネル構造体２及び３の結合を補強し、扉４の重量を下部ヒンジ５を介して電子機器収納筐体１の最下面で受けることにより、扉重量の耐震性への影響を最小限に抑制することで、必要な耐震性を確保する、図２（１）〜（３）３に示す、筐体コーナー部剛性強化結合金具６の構造及び固定方法。
特徴６：図１の電子機器収納筐体1に収納する電子機器ユニット１０を取付ける取付金具と電子機器収納筐体１の耐震補強を兼ねた、図３に示す、左右一体化ユニット取付フレーム枠７の構造及び固定方法。
特徴７：図３の左右一体化ユニット取付フレーム枠７の取付と電子機器収納筐体1の前後及びねじれ方向に対する耐震補強を兼ねて側面板に配置された、図７に示す、側板強化金具８の構造及び固定方法。
特徴８：以上の構造において従来の耐震性を確保したまま、溶接接合ではなく、作業性・分解性に優れたネジ接合にて実現した図１の電子機器収納筐体１の構造。
【００３２】
なお、本考案は、その考案の範囲内において、実施の形態を適宜、変形することができる。
なお、各図中、同一符合は同一または相当部分を示す。
【符号の説明】
【００３３】
１    電子機器収納筐体、
２    矩形の底板、
２ａｃ    締め付け面、
２ａｃｃ    締め付けネジ用貫通孔、
２ａｃｄ    締め付けネジ用貫通孔、
２ａｃｅ    締め付けネジ用貫通孔、
２ｂ    締め付け面、
３    側板、
３ａ    締め付け面、
３ａｃ    締め付けネジ用貫通孔、
３ａｄ    締め付けネジ用貫通孔、
３ｂ    締め付け面、
３ｂａ    締め付けネジ用貫通孔、
３ｂｂ    締め付けネジ用貫通孔、
３ｃ    締め付け面、
３ｃｅ    締め付けネジ用貫通孔、
３ｄ    締め付け面、
４    扉、
５    下部ヒンジ、
５ａ    締め付けネジ用貫通孔、
５ｂ    締め付けネジ用貫通孔、
５ｘ    扉枢着用貫通孔、
６    筐体コーナー部剛性強化結合金具、
６ａ    締め付け面、
６ａｃ    締め付けネジ用貫通孔、
６ａｄ    締め付けネジ用貫通孔、
６ａｅ    締め付けネジ用貫通孔、
６ｂ    締め付け面、
６ｂａ    締め付けネジ用貫通孔、
６ｂｂ    締め付けネジ用貫通孔、
６ｃ    締め付け面、
７    左右一体化ユニット取付フレーム枠、
７ａ    平面部、
７ｂ    抜き孔、
７ｃ    締め付けネジ用貫通孔、
７ｄ    締め付けネジ用貫通孔、
７ｅ    締め付けネジ用貫通孔、
７ｆ    締め付けネジ用貫通孔、
８    側板強化金具、
８ａ    上下の折り曲げ部面、
８ｂ    上下の折り曲げ部面、
８ｃ    中央の段曲げ部、
８ｄ    締め付けネジ用貫通孔
８ｅ    締め付けネジ用貫通孔
８ｆ    締め付けネジ用貫通孔
８ｇ    締め付けネジ用貫通孔、
１１    枠体、
１２    天板、
１３    前後開口部、
１４    アダプタ金具、
ABSC，BBSC，CBSC，DBSC    電子機器収納筐体底部の各コーナー部、
ARSC，BRSC，CRSC，DRSC    電子機器収納筐体天井部の各コーナー部。
【図１】
0003181762.tif 000003
【図２】
0003181762.tif 000004
【図３】
0003181762.tif 000005
【図４】
0003181762.tif 000006
【図５】
0003181762.tif 000007
【図６】
0003181762.tif 000008
【図７】
0003181762.tif 000009
【図８】
0003181762.tif 000010
【図９】
0003181762.tif 000011